(57)【要約】【課題】  本発明は、糊付けをせずに開閉自在な蓋を有する組立てを可能とすることによって物品の出し入れができる包装用組立て箱を提供することを目的とする。【解決手段】  本発明は、多角形の箱を展開状となるように裁断した台紙上に適宜数の縦折目線２および横折目線２を施し、これらの折目線から折り込み組み立てる多角面を有する包装用組立て箱において、横状の折目線２を介して縦列される多角面を形成するｎ数の基壁３と、前記少なくともｎ−１数の基壁３の両側端に縦状の折目線２を介して横列される組立て片５と、前記組立て片５に互いに係留自在とされる係留手段を備えることで少なくとも１面以上の基壁３を開閉蓋４とした構成とする。【選択図】        図１
2005320070.tif 000002
【特許請求の範囲】
【請求項１】
多角形の箱を展開状となるように裁断した台紙上に適宜数の縦折目線および横折目線を施し、これらの折目線から折り込み組み立てる多角面を有する包装用組立て箱において、
横状の折目線を介して縦列される多角面を形成するｎ数の基壁と、
前記少なくともｎ−１数の基壁の両側端に縦状の折目線を介して横列される組立て片と、
前記組立て片に互いに係留自在とされる係留手段を備えることで少なくとも１面以上の基壁を開閉蓋とする
ことを特徴とする包装用組立て箱。
【請求項２】
前記開閉蓋とされる基壁の先端に折目線を介して挿込片を形成し、かつ開口端側の組立て片の上端には折目線を介してそれぞれ舌部が形成される
ことを特徴とする請求項１記載の包装用組立て箱。
【請求項３】
前記開閉蓋とされる基壁の先端に、所要数の相似形の開閉蓋を折目線を介して縦列し、その先端に挿込片を形成するとともに、該挿込片が位置する折目線に差し込み口を設ける
ことを特徴とする請求項１または２記載の包装用組立て箱。
【請求項４】
前記基壁と組立て片との間の折目線を、台紙の厚さ分だけ内側へ斜め状に形成する
ことを特徴とする請求項１、２または３記載の包装用組立て箱。
【請求項５】
前記縦列される基壁および開閉蓋に、組立て箱が分割可能とするためのミシン目を縦状に設ける
ことを特徴とする請求項１、２、３または４記載の包装用組立て箱。
【請求項６】
前記開閉蓋とされる基壁の反対側の基壁の開放端に手提げ取っ手部を形成するとともに、該手提げ取っ手部が位置する開閉蓋とされる基壁面に取っ手部突出用長孔を開口する
ことを特徴とする請求項３、４または５記載の包装用組立て箱。
【請求項７】
前記前記開閉蓋とされる基壁の反対側の基壁の開放端に舌部を形成するとともに、前記開口端側の組立て片の上端の舌部と前記基壁の開放端に舌部に互いに係留し合う切込みを設ける
ことを特徴とする請求項３、４または５記載の包装用組立て箱。  
【発明の詳細な説明】
【技術分野】
【０００１】
本発明は、包装用組み立て箱に関する。詳しくは糊付けを不要とし、物品を収納できる開閉蓋を有する多角形状の包装用組立て箱に係るものである。
【背景技術】
【０００２】
従来より厚紙を素材とする包装用組立て箱では、例えば各辺に折り目が設けられる台紙の両側端に糊しろを形成し、環状となるように糊付けした状態で組み立てる構成とするものが殆どである。
【０００３】
しかし前記構成の組み立て箱では２枚重ねの状態で折り畳んで収納するために収納の際に非常に嵩張るなどの問題がある。また、糊付けする作業工程が必要となり、その分生産コストが高くなる問題があった。
【０００４】
そこで糊付けをせずに組み立てる箱として例えば図１５に示す発明がある。この組立て箱は、１枚の厚紙を素材とする主壁１０１の１側から他側へ向け適数の折目線１０２を介して所望枚数の周壁１０３ａ、ｂ、ｃ・・・を形成すると共に、この基端側周壁１０３ａの止着把持部１０５および引き出し貫窓１０６を先端側周壁１０３ｇに開設せしめて両側重合周壁１０３ｂ、１０３ｇは結合するようにならしめる切込み１０６と差込み片１０７で多角形状筒体１０８とし、かつこの筒体１０８を形成する所望位置の周壁１０３を残す以外の各両端には折目線１０２を介し起伏自在とするへ字状１側凹縁先端部を掛止部１０９とする蓋片１１０・・・を連成し、かつ蓋片１１０を形成しない周壁１０３両端には折目線１０２を介し起伏自在とする掛止部１０９側はテーパー縁部１１１とし、かつ相反する側は直縁とするＶ字状蓋片１１２の該テーパー縁部１１１と相反する側縁先端部には切欠き掛止凹部１１３を形成した構成とする（特許文献１参照。）。
【０００５】
【特許文献１】実用新案公告昭４３−１０４号公報（考案の詳細な説明、第１図）
【発明の開示】
【発明が解決しようとする課題】
【０００６】
しかしながら前述の組立て箱では、基端側周壁１０３ａへ先端側周壁１０３ｇを重ね状としてその先端側周壁１０３ｇの側縁差込み片１０７を切込み１０６に差し込んで一体化せしめて筒状とし、各周壁１０３両端に形成される蓋片１１０の折目線１０２を介し起伏させながら順次折込んで互いに掛止させて箱を組み立てるものであるために、組箱に収納される物品は筒状とした状態で収納して箱の組立てを行わなければならない。
【０００７】
したがって、物品を筒体１０８内より取り出す場合にも各周壁１０３両端に形成される蓋片１１０の掛止を順次解除しなければならず非常に手間がかかるとともに、物品を固定する仕切りと一緒に収納することが非常に煩雑となる問題がある。
【０００８】
本発明は、以上の点に鑑みて創案されたものであって、糊付けをせずに開閉自在な蓋を有する組立てを可能とすることによって物品の出し入れができる包装用組立て箱を提供することを目的とする。
【課題を解決するための手段】
【０００９】
上記の目的を達成するために、本発明に係る包装用組立て箱は、多角形の箱を展開状となるように裁断した台紙上に適宜数の縦折目線および横折目線を施し、これらの折目線から折り込み組み立てる多角面を有する包装用組立て箱において、横状の折目線を介して縦列される多角面を形成するｎ数の基壁と、前記少なくともｎ−１数の基壁の両側端に縦状の折目線を介して横列される組立て片と、前記組立て片に互いに係留自在とされる係留手段を備えることで少なくとも１面以上の基壁を開閉蓋とする。
【００１０】
ここで、例えば４角面を有する組立て箱であれば３個、五角面および六角面を有する組立て箱であれば４個、八角面を有する組み立て箱であれば５個の基壁の両端に組立て片を形成し、これらの組立て片の折目線を介して起立させて重ねた状態で係着させることで残りの基壁が開放状となり開閉蓋として自在に開閉できることが可能となる。
【００１１】
また、開口端側の組立て片の上端に舌部を形成するとともに、前記開閉蓋とされる基壁の先端に折目線を介して挿込片を形成することによって開閉蓋と開口端とが開かずに収納物の包装が確実に行える。
【００１２】
また、前記基壁と組立て片との間の折目線を、台紙の厚さ分だけ内側へ斜め状に形成することによってダンボール紙のような厚紙であっても組立て片を起立し、重ね合った状態での係着が支障なく行えることになる。
【００１３】
また、前記縦列される基壁および開閉蓋に、組立て箱が分割可能とするためのミシン目を縦状に設けることにより、例えば生花などを包装した場合に、ミシン目によって紙箱を分離して残りの紙箱を花瓶として活用することができる。また、相手に渡す直前にミシン目によって紙箱を分離して生花を露出させた状態で相手に渡すことが可能となる。
【発明の効果】
【００１４】
以上述べてきたごとく本発明によれば、開閉自在な蓋部を設けた状態で包装箱の組立てを可能とすることにより包装を解除することなく物品の出し入れができる。
【００１５】
また、糊貼りを必要とせずに、組立ての際に多角形の組立て片が、その多角形の片数より少ない片数で組み立てることができ、組立てが容易かつ、短縮することが可能となる。
【００１６】
さらに、その多角形の片数より少ない片数で組み立てる構成とすることにより、段ボールなどの厚口包装材料を使用した場合でも折目ラインを内側にずらすことにより組立てが可能となる。
【発明を実施するための最良の形態】
【００１７】
以下、本発明の実施の形態を図面を参酌しながら説明し、本発明の理解に供する。
実施例１
図１は、本発明を適用した包装用組立て箱の四角形の一例を示す展開図である。
ここで示す四角箱１の展開図は、収納される物品に応じて文字や図柄などが印刷された厚紙を裁断して作成するものであり、折目線２を介して四角面を形成するために３個の基壁３、３Ａ、３Ｂおよび開閉蓋４が形成される。
【００１８】
そこで、前記基壁３、３Ａ、３Ｂの両側端には折目線２を介して基壁３、３Ａ、３Ｂ幅とした組立て片５、５Ａ、５Ｂがそれぞれ連設される。
【００１９】
前記組立て片５、５Ａの上端側は直角に裁断されて辺６、６Ａを形成し、辺６Ａは前記基壁３、３Ａ、３Ｂ幅の略２分の１長さとされ、それより水平状に前記基壁３、３Ａ、３Ｂ幅の略２分の１まで辺７が形成され、さらに各基壁３、３Ａ、３Ｂの下端まで斜め状の辺７Ａが形成されることで係留折曲線８が形成されることになる。また、前記組立て片５Ａの辺６の略中央には鉤形状の切込み９が設けられる。
【００２０】
次に、前記組立て片５Ｂの上端辺には折目線２を介して舌部１０が形成される。そして組立て片５Ｂの下端より前記組立て片５、５Ａの辺７Ａと同様の斜め辺１１が形成され、その終端より鉛直状に折曲形成されることでＶ字形状の係止用溝部１２が形成される。
【００２１】
また、前記開閉蓋４の上端片には折目線２を介して挿込片１４が連接されるものである。
そこで図２（イ）（ロ）にそれぞれ示すように、展開状とされる基壁、組立て片、開閉蓋など折目線２を介して略直角状に折り曲げる。
【００２２】
そして前記基壁３の組立て片５の辺６を基壁３Ａの両側の折目線２に沿って接するようにして起立させることで前記基壁３Ａの組立て片５Ａと重なり合い、さらに組立て片５Ａに設けられる切込み９に組立て片５を挿し込むことによって組立て片５と組立て片５Ａとが係止される。
【００２３】
次に基壁３Ｂの両側の折目線２を前記基壁３Ｂの組立て片５Ａの辺６に接するまで起立させる。そこで基壁３Ｂの係止片１３を前記組立て片５と組立て片５Ａと重なり合うことで形成される三角形状の空間部内へ挿し込み、さらにＶ字形状の係止用溝部１２を前記組立て片５と組立て片５Ａとを重ねることによって形成される鋭角部分に嵌込むことによって前記組立て片５および組立て片５Ａ並びに組立て片５Ｂ重なり合った状態で係着される。
【００２４】
これにより基壁３、３Ａ、３Ｂは開閉蓋４を開放状とした状態で組立てられることとなり、舌部１０および挿込片１４によって開閉蓋４により物品の収納を確実に行える構成とする。
【００２５】
また、図３に示すのは本発明を適用した包装用組立て箱の四角形の他の例を示す展開図である。
ここで示す四角箱１の展開図は、収納される物品に応じて文字や図柄などが印刷された厚紙を裁断して作成するものであり、折目線２を介して四角面を形成するために３個の基壁３、３Ａ、３Ｂおよび開閉蓋４が形成される。
【００２６】
そこで前記基壁３および基壁３Ｂは前記基壁３Ａに比べて縦長とすることにより、直方形状の箱を組み立てることが可能となる。
【００２７】
実施例２
図４は、本発明を適用した包装用組立て箱の六角形の一例を示す展開図である。
【００２８】
ここで示す六角箱１Ａの展開図は、収納される物品に応じて文字や図柄などが印刷された厚紙を裁断して作成するものであり、折目線２を介して六角面を形成するために４個の基壁３、３Ａ、３Ｂ、３Ｃおよび開閉蓋４、４Ａ、４Ｂが形成される。
【００２９】
そこで、前記基壁３、３Ａ、３Ｂ、３Ｃの両側端には折目線２を介して基壁３、３Ａ、３Ｂ、３Ｃ幅とした組立て片５、５Ａ、５Ｂ、５Ｃがそれぞれ連設される。この組立て片５、５Ａ、５Ｂ、５Ｃは、その各辺６が基壁３、３Ａ、３Ｂ、３Ｃが折目線２に沿って接するように１２０度傾斜させた状態で形成される。
【００３０】
そして組立て片５、５Ａ、５Ｂの辺６に対して、１２０度角で辺６Ａが形成され、これらの辺６、６Ａ長さは、六角形の各辺長さとする。さらに前記辺６Ａに対して１２０度角の辺６Ｂが形成される。そこで辺６Ｂより基壁３、３Ａ、３Ｂの下端まで、その中途に係留用段差部１５が形成される斜め状の辺７Ａが裁断される。また、前記組立て片５Ａ、５Ｂの辺６、６Ａの分岐には鉤形状の切込み９が設けられる。
【００３１】
次に、前記組立て片５Ｃの上端辺には１２０角度を設けて形成される折目線２、２Ａを介して舌部１０、１０Ａが形成される。そして組立て片５Ｃの折目線２Ａより１２０度角で辺６Ｂが形成される。この辺６Ｂと基壁３Ｃの下端との間に略６０度角で辺７、７Ａが折曲形成され、さらに辺７、７Ａの分岐部分に前記組立て片５、５Ａ、５Ｂの係留用段差部１５に係着する係止用溝部１２が形成される。
【００３２】
また、前記開閉蓋４は六角形の３辺に沿って覆うために折目線２を介して連設され、その先端に挿込片１４が形成される。そして前記基壁３と３Ａとの間の折目線２には、開閉蓋４先端に形成される挿込片１４を挿し込むための差し込み口１６が開口され、前記基壁３の下端には舌部１０が形成される。
また、組立て片５Ｃ上端の舌部１０Ａの側端と基壁３に延設される舌部１０の下端両側に切込み９Ａが設けられ、この切込み９Ａによって六角箱に組み立てられた場合に、前記組立て片５Ｃ上端の舌部１０Ａと基壁３に延設される舌部１０の下端両側に切込み９Ａとを互いに挿入することで係止し、側壁を形成する組立て片が広がるのを防止する構成とするものである。
【００３３】
そこで図５（イ）（ロ）（ハ）にそれぞれ示すように、展開状とされる基壁、組立て片、開閉蓋など折目線２を介して略直角状に折り曲げる。
【００３４】
そして前記基壁３の組立て片５の辺６、６Ａに対して基壁３Ａおよび３Ｂの両側の折目線２が接するようにして基壁３Ａおよび３Ｂを折り曲げて組立て片５Ａに設けられる切込み９に組立て片５を挿し込む。さらに基壁３Ｂの組立て片５Ｂの辺６、６Ａに対しては基壁３Ｂおよび３Ｃの両側の折目線２が接するようにして基壁３Ｂおよび３Ｃを折り曲げて組立て片５Ｂに設けられる切込み９に組立て片５Ｂに挿し込む。
【００３５】
次に基壁３Ｃの両側の折目線２を前記基壁３Ｂの組立て片５Ａの辺６に接するまで折り曲げる。そこで基壁３Ｃの係止用溝部１２を前記組立て片５と組立て片５Ａおよび組立て片５Ｂと重なり合うことで形成される空間部内へ挿し込み、さらにＶ字形状の係止用溝部１２を前記組立て片５と組立て片５Ａおよび組立て片５Ｂとを重ねることによって形成される鋭角部分に嵌込むことによって前記組立て片５、組立て片５Ａ、組立て片５Ｂおよび組立て片５Ｃが重なり合った状態で係着される
【００３６】
これにより六角形の２辺が開放された状態で組立てられることとなり、開閉蓋４の先端の挿込片１４を前記基壁３と３Ａとの間の折目線２に開口される差し込み口１６に挿し込むことによって開閉蓋４の開閉を行うことが可能となる。
【００３７】
次に、図６に示すのは本発明を適用した包装用組立て箱の六角形の他の例を示す展開図である。
ここで示す六角箱１の展開図は、収納される物品に応じて文字や図柄などが印刷された厚紙を裁断して作成するものであり、折目線２を介して六角面を形成するために４個の基壁３、３Ａ、３Ｂ、３Ｃおよび開閉蓋４、４Ａ、４Ｂを横長の長方形状とすることによって横長状の六角箱１を組み立てることが可能となる。
【００３８】
また、図７に示すのは本発明を適用した包装用組立て箱の六角形の分割機能を備える場合の例を示す展開図である。
ここで示す六角箱１の展開図は、図６に示す六角箱１の展開図と同様に、折目線２を介して六角面を形成するために４個の基壁３、３Ａ、３Ｂ、３Ｃおよび開閉蓋４、４Ａ、４Ｂを横長の長方形状とし、これらの基壁３、３Ａ、３Ｂ、３Ｃおよび開閉蓋４、４Ａ、４Ｂの略中央に沿ってミシン目１７を設けるものである。
【００３９】
したがって、例えばフラワーショップにおいて生花を包装するケースとして活用する場合に、購入者は生花を相手に渡す際に、ミシン目１７によって六角箱１を分割状に切り取り生花部分のみを見せた状態で渡すことができる。
【００４０】
なお、本実施例では六角形にミシン目を入れたものについて詳述するものであるが、他の四角形や五角形、あるいは八角形の展開図にミシン目を入れるものとする。
【００４１】
次に図８に示すのは、ダンボール紙などの厚紙を用いての本発明を適用した包装用組立て箱の六角形の例を示す展開図である。
ここで示す六角箱１の展開図は、収納される物品に応じて文字や図柄などが印刷された厚紙を裁断して作成するものであり、折目線２を介して六角面を形成するために４個の基壁３、３Ａ、３Ｂ、３Ｃおよび開閉蓋４、４Ａ、４Ｂが形成される。
【００４２】
そこで前記基壁３、３Ａ、３Ｂ、３Ｃの両側端には折目線２を介して基壁３、３Ａ、３Ｂ、３Ｃ幅とした組立て片５、５Ａ、５Ｂ、５Ｃがそれぞれ連設される。この場合に前記折目線２を組立て片５、５Ａ、５Ｂ、５Ｃの厚さ分だけ前記基壁３、３Ａ、３Ｂ、３Ｃの内側へ斜め状に設ける。
【００４３】
したがって、図中Eで示すように組立て片５、５Ａ、５Ｂ、５Ｃ厚さ分だけ組み立てる際に前記基壁３、３Ａ、３Ｂ、３Ｃ側に入り込むことによって互いの組立て片５、５Ａ、５Ｂ、５Ｃの係止がスムーズに行うことが可能となる。
【００４４】
なお、本実施例では六角箱に厚紙を使用したものについて詳述するものであるが、ダンボール紙などの厚紙を四角箱、五角箱、あるいは八角箱などの多角形に使用する場合にあっても各組立て片の厚み分だけ前記基壁の内側へ斜め状に設けるものである。
【００４５】
また、図９に示すのは、本発明を適用した六角形の包装用組立て箱に手提げ取っ手部を設けた場合の一例を示す展開図である。
【００４６】
ここで示す六角箱１の展開図は、収納される物品に応じて文字や図柄などが印刷された厚紙を裁断して作成するものであり、折目線２を介して六角面を形成するために４個の基壁３、３Ａ、３Ｂ、３Ｃおよび開閉蓋４、４Ａ、４Ｂが形成される。
【００４７】
そこで基壁３に延設される舌部１０に展開状の手提げ取っ手部１８が延設される。そして開閉蓋４の略中央に取っ手部突出用長孔１９を開口するものである。したがって図１０に示すように、基壁３、３Ａ、３Ｂ、３Ｃの組立て片５、５Ａ、５Ｂ、５Ｃを互いに係止して六角形の２辺が開放された状態で組立てるとともに、手提げ取っ手部１８を組み立て、開閉蓋４の取っ手部突出用長孔１９内に差し込み、開閉扉４Ｂ先端の挿込片１４を前記基壁３と３Ａとの間の折目線２に開口される差し込み口１６に挿し込むことによって手提げ取っ手部１８が設けられる六角箱１が組み立てられる。
【００４８】
なお、前記手提げ取っ手部１８は六角箱のみについて詳述するものであるが、必ずしも六角箱に限定されるものではなく、例えば四角箱、五角箱、あるいは八角箱などの他の多角箱に設けるものであっても構わない。
【００４９】
次に図１１は、本発明を適用した包装用組立て箱の五角形の一例を示す展開図である。
ここで示す五角箱１Ｂの展開図は、収納される物品に応じて文字や図柄などが印刷された厚紙を裁断して作成するものであり、折目線２を介して五角面を形成するために３個の基壁３、３Ａ、３Ｂおよび開閉蓋４、４Ａ、４Ｂが形成される。
【００５０】
そこで、前記基壁３、３Ａ、３Ｂの両側端には折目線２を介して基壁３、３Ａ、３Ｂ幅とした組立て片５、５Ａ、５Ｂがそれぞれ連設される。この組立て片５、５Ａ、５Ｂは、その各辺６が基壁３、３Ａ、３Ｂが折目線２に沿って接するように１０８度傾斜させた状態で形成される。
【００５１】
そして組立て片５、５Ａ、５Ｂの辺６に対して、１０８度角で辺６Ａが形成され、これらの辺６、６Ａ長さは、五角形の各辺長さとする。さらに前記辺６Ａに対して１０８度角の辺６Ｃが形成される。そこで辺６Ｃより基壁３、３Ａ、３Ｂの下端まで、その中途に係留用段差部１５が形成される。また、前記組立て片５Ａの辺６、６Ａには鉤形状の切込み９が設けられる。
【００５２】
次に、前記組立て片５Ｂの上端辺には１０８角度を設けて形成される折目線２、２Ａを介して舌部１０、１０Ａが形成される。そして組立て片５Ｂの折目線２Ａより１０８度角で辺６Ｃが形成される。この辺６Ｃと基壁３Ｃの下端との間に前記組立て片５、５Ａの係留用段差部１５に係着する係止用溝部１２が形成される。
【００５３】
また、前記開閉蓋４は五角形の３辺に沿って覆うために折目線２を介して３連設され、その先端に挿込片１４が形成される。そして前記基壁３と３Ａとの間の折目線２には、開閉蓋４先端に形成される挿込片１４を挿し込むための差し込み口１６が開口され、前記基壁３の下端には舌部１０が形成される。
【００５４】
そこで図１２にそれぞれ示すように、展開状とされる基壁、組立て片、開閉蓋など折目線２を介して略直角状に折り曲げる。
【００５５】
そして前記基壁３の組立て片５の辺６、６Ａに対して基壁３Ａおよび３Ｂの両側の折目線２が接するようにして基壁３Ａおよび３Ｂを折り曲げて組立て片５Ａに設けられる切込み９に組立て片５を挿し込む。
【００５６】
次に基壁３Ｂの両側の折目線２を前記基壁３Ａの組立て片５Ａの辺６に接するまで折り曲げる。そこで基壁３Ｂの係止片１３を前記組立て片５と組立て片５Ａおよび組立て片５Ｂと重なり合うことで形成される空間部内へ挿し込み、さらにＶ字形状の係止用溝部１２を前記組立て片５と組立て片５Ａおよび組立て片５Ｂとを重ねることによって形成される鋭角部分に嵌込むことによって前記組立て片５、組立て片５Ａ、組立て片５Ｂが重なり合った状態で係着される
【００５７】
これにより五角形の２辺が開放された状態で組立てられることとなり、開閉蓋４の先端の挿込片１４を前記基壁３と３Ａとの間の折目線２に開口される差し込み口１６に挿し込むことによって開閉蓋４の開閉を行うことが可能となる。
【００５８】
次に図１３は、本発明を適用した包装用組立て箱の八角形の一例を示す展開図である。
ここで示す八角箱１Ｃの展開図は、収納される物品に応じて文字や図柄などが印刷された厚紙を裁断して作成するものであり、折目線２を介して八角面を形成するために５個の基壁３、３Ａ、３Ｂ、３Ｃ、３Ｄおよび開閉蓋４、４Ａ、４Ｂ、４Ｃが形成される。
【００５９】
そこで、前記基壁３、３Ａ、３Ｂ、３Ｃ、３Ｄの両側端には折目線２を介して基壁３、３Ａ、３Ｂ、３Ｃ、３Ｄ幅とした組立て片５、５Ａ、５Ｂ、５Ｄがそれぞれ連設される。この組立て片５、５Ａ、５Ｂ、５Ｃ、５Ｄは、その各辺６が基壁３Ａ、３Ｂおよび３Ｂ、３Ｃ並びに３Ｃ、３Ｄのように２辺に跨って渡設される長さとする。
【００６０】
そして組立て片５、５Ａ、５Ｂの辺６に対して、１４５度角で辺６Ａが形成され、この辺６Ａ長さは、八角形の各辺長さとする。さらに前記辺６Ａに対して１４５度角の辺６Ｂが形成される。そこで辺６Ｂより基壁３、３Ａ、３Ｂ、３Ｃの下端までの中途に係留用段差部１５が形成される。
【００６１】
次に、前記組立て片５Ｄの上端辺には１４５角度を設けて形成される折目線２、２Ａ、２Ｃを介して舌部１０、１０Ａ、１０Ｃが形成される。そして組立て片５Ｄの折目線２Ｂより１４５度角で辺６Ｃが形成される。この辺６Ｃと基壁３Ｄの下端との間に前記組立て片５、５Ａ、５Ｂ、５Ｃの係留用段差部１５に係着する係止用溝部１２が形成される。
【００６２】
また、前記開閉蓋４は八角形の４辺に沿って覆うために折目線２を介して４連設され、その先端に挿込片１４が形成される。そして前記基壁３と３Ａとの間の折目線２には、開閉蓋４先端に形成される挿込片１４を挿し込むための差し込み口１６が開口され、前記基壁３の下端には舌部１０、１０Ａが形成される。
【００６３】
そこで図１４にそれぞれ示すように、展開状とされる基壁、組立て片、開閉蓋など折目線２を介して略直角状に折り曲げる。
【００６４】
そして前記基壁３の組立て片５の辺６Ａに対して基壁３Ｃおよび組立て片５の辺６Ｂが基壁３Ｄの両側の折目線２が接するようにして基壁３Ａ、３Ｂ、３Ｃ、３Ｄを折り曲げるものである。
【００６５】
そこで基壁３Ｄの係留用段差部１５を前記組立て片５と組立て片５Ａ、組立て片５Ｂ、組み立て辺５Ｃと重なり合うことで形成される空間部内へ挿し込み、さらにＶ字形状の係止用溝部１２を前記組立て片５、組立て片５Ａ、組立て片５Ｂおよび組み立て辺５Ｃとを重ねることによって形成される鋭角部分に嵌込むことによって前記組立て片５、組立て片５Ａ、組立て片５Ｂおよび組み立て辺５Ｃが重なり合った状態で係着される
【００６６】
これにより八角形の３辺が開放された状態で組立てられることとなり、開閉蓋４Ｃの先端の挿込片１４を前記基壁３と３Ａとの間の折目線２に開口される差し込み口１６に挿し込むことによって開閉蓋４の開閉を行うことが可能となる。
【００６７】
以上の構成よりなる本発明では、多角形箱の総辺数よりも少なくした各組み立て辺を重ね合わせて係着させることにより、例えば四角箱では一辺、五角箱では２辺、六角箱では２辺、八角箱では３辺を開放状とし、開閉自在とする開閉蓋を設けることによって組立てた後に物品の出し入れを自由に行うことが可能となる。
【００６８】
また、物品の出し入れ空間を大きくとることができるために、収納する物品が動かないようにするための中仕切り（図示せず。）を入れることができ、この中仕切りによってワインボトルなど重量のある物品の収納も可能となる。
【００６９】
なお、本実施例では組立て箱を構成する素材として厚紙やダンボール紙を述べてきたが、必ずしも素材として紙類に限定する必要はなく、可撓性を有するプラスチック薄板などの合成樹脂素材であっても構わない。
【図面の簡単な説明】
【００７０】
【図１】本発明を適用した包装用組立て箱の四角形の一例を示す展開図である。
【図２】本発明を適用した四角形の包装用組立て箱の組立て状態を示す説明図である。
【図３】本発明を適用した包装用組立て箱の四角形の他の例を示す展開図である。
【図４】本発明を適用した包装用組立て箱の六角形の一例を示す展開図である。
【図５】本発明を適用した六角形の包装用組立て箱の組立て状態を示す説明図である。
【図６】本発明を適用した包装用組立て箱の六角形の他の例を示す展開図である。
【図７】本発明を適用した包装用組立て箱の六角形の分割機能を備える場合の例を示す展開図である。
【図８】ダンボール紙などの厚紙を用いての本発明を適用した包装用組立て箱の六角形の例を示す展開図である。
【図９】本発明を適用した六角形の包装用組立て箱に手提げ取っ手部を設けた場合の一例を示す展開図である。
【図１０】図９における組立て説明図である。
【図１１】本発明を適用した包装用組立て箱の五角形の一例を示す展開図である。
【図１２】図１１における組立て説明図である。
【図１３】本発明を適用した包装用組立て箱の八角形の一例を示す展開図である。
【図１４】図１３における組立て説明図である。
【図１５】従来の包装用組立て箱の一例を示す説明図である。
【符号の説明】
【００７１】
１        四角箱
１Ａ      六角箱
１Ｂ      ５角箱
１Ｃ      八角箱
２        折目線
３、３Ａ、３Ｂ、３Ｃ  基壁
４、４Ａ、４Ｂ  開閉蓋
５、５Ａ、５Ｂ、５Ｃ  組立て片
６、６Ａ、６Ｂ、６Ｃ  辺
７、７Ａ    斜め状の辺
８      係留折曲線
９      切込み部
１０．１０Ａ、１０Ｂ  舌部
１１      斜め辺
１２      係止用溝部
１４      挿込片
１５      係留用段差部
１６      差し込み口
１７      ミシン目
１８      手提げ取っ手部
１９      取っ手部突出用長孔
【図１】
2005320070.tif 000003
【図２】
2005320070.tif 000004
【図３】
2005320070.tif 000005
【図４】
2005320070.tif 000006
【図５】
2005320070.tif 000007
【図６】
2005320070.tif 000008
【図７】
2005320070.tif 000009
【図８】
2005320070.tif 000010
【図９】
2005320070.tif 000011
【図１０】
2005320070.tif 000012
【図１１】
2005320070.tif 000013
【図１２】
2005320070.tif 000014
【図１３】
2005320070.tif 000015
【図１４】
2005320070.tif 000016
【図１５】
2005320070.tif 000017